(57)【要約】【課題】コルゲイト管に振動などの外力が加えられてもこれらを緩和し、コルゲイト管の疲労による破壊・損傷を防止することを課題とする。【解決手段】コルゲイト管２を受容する筒状本体３と、この筒状本体３の内面とコルゲイト管先端部４外周との隙間をシールするリング状シール材５、６とコルゲイト管２外周の谷部７に係りあう爪８を有したリング状のリテーナ９と、リング状リテーナ９を筒状本体３より抜け出ないように拘束する止輪１１とを備えたコルゲイト管用管継手１において、止輪１１の内径がコルゲイト管２の最大外径より大きくされ、コルゲイト管２が、筒状本体３内面とコルゲイト管２外周との間に形成された隙間ｓ内を径方向へ移動可能とされてなる。【選択図】  図１
2005016598.tif 000002
【特許請求の範囲】
【請求項１】
コルゲイト管を受容する筒状本体と、この筒状本体の内面と前記コルゲイト管先端部外周との隙間をシールするリング状シール材と、前記コルゲイト管外周の谷部に係りあう爪を有したリング状のリテーナと、該リング状リテーナを前記筒状本体より抜け出ないように拘束する、前記筒状本体の開口部に同軸に固定される止輪とを備えたコルゲイト管用管継手において、前記止輪の内径が前記コルゲイト管の最大外径より大きくされ、前記コルゲイト管外周と前記止輪内面との間に隙間が形成され、該隙間内を前記コルゲイト管が前記止輪に対し径方向へ相対移動可能とされたことを特徴とするコルゲイト管用管継手。
【発明の詳細な説明】
【０００１】
【発明の属する技術分野】
この発明はコルゲイト管用管継手に関する。
【０００２】
【従来の技術】
ガスや水道などの配管において、配管経路に沿って管を扁平化することなく自由に曲げることのできる配管用管として、コルゲイト管が知られている（特許文献１）。
【０００３】
このコルゲイト管を器具（図示せず）などに接続するための継手として例えば図４に示すようなコルゲイト管用管継手１が知られている。
このコルゲイト管用管継手１は、雄ねじ又は雌ねじとされたねじ部３ａ（図示例は雄ねじ部）で器具（図示せず）に固定される筒状本体３であって、他端側にコルゲイト管２を受容する筒状本体３と、この筒状本体３の内面とコルゲイト管２の先端部４外面との隙間をシールするリング状シール材５と、コルゲイト管２外周の山部６、６間の谷部７に係りあう爪８を有したリング状のリテーナ９と、リング状リテーナ９を筒状本体３より抜け出ないように拘束する、筒状本体３の開口部１０に同軸に固定される止輪１１を備え、コルゲート管２に矢印Ｂで示すような抜け出し方向への力が作用すると、図５に示すように止輪１１によって抜け出し方向への移動を拘束されたリング状リテーナ９の爪８がコルゲイト管２の谷部７に係り合って抜け出ないようにしたものである（特許文献２）。
【０００４】
また、図６に示すようにコルゲイト管２の末端にフランジ２ａを設け、相手側器具（図示せず）の継手部２ｂにパッキン２ｄを介挿した上でカップリング２ｅを締め付けて接続するものが知られている。
【０００５】
【特許文献１】
特開２００３−０９６８３９号公報、図１、図２
【０００６】
【特許文献２】
特開２０００−２７４５７３号公報、図１
【０００７】
【発明が解決しようとする課題】
ところで、コルゲイト管２を、使用上種々の原因で振動することのある器具など（図示せず）に接続すると、その振動がコルゲイト管用管継手１を伝ってコルゲイト管２に伝わり、その振動が原因となって疲労破壊を生じることがある問題があった。
【０００８】
例えば、図４に示した管継手の場合、止輪１１内面とコルゲイト管２の山部６外面との間に従来では殆ど隙間が無かったため、わずかな振動（矢印Ａ）でも両者が容易に接触し、この接触部分６ａと止輪１１から外部へ出たコルゲイト管２部分の境界部分に応力が集中し、経年による疲労蓄積などが原因でクラック２ｃが発生する懸念があった。
【０００９】
また、図６に示した管継手の場合、コルゲイト管２は継手部２ｂにカップリング２ｅでリジットに固定されるので、器具の振動がコルゲイト管２全体にそのまま伝わり、管の弱い所に応力が集中してやはり経年による疲労蓄積などが原因でクラックが発生する懸念があった。
【００１０】
この発明は、上記問題点を解消し、コルゲイト管用管継手に器具側から振動が伝わってもコルゲイト管への伝達を緩和し、振動伝達によるコルゲイト管の疲労による破壊・損傷を防止することを課題としてなされたものである。
【００１１】
【課題を解決するための手段】
上記課題を解決するため、請求項１のコルゲイト管用管継手は、コルゲイト管を受容する筒状本体と、この筒状本体の内面と前記コルゲイト管先端部外周との隙間をシールするリング状シール材と、前記コルゲイト管外周の谷部に係りあう爪を有したリング状のリテーナと、該リング状リテーナを前記筒状本体より抜け出ないように拘束する、前記筒状本体の開口部に同軸に固定される止輪とを備えたコルゲイト管用管継手において、前記止輪の内径が前記コルゲイト管の最大外径より大きくされ、前記リング状のリテーナと係り合って抜け出ないようにされたコルゲイト管と、前記コルゲイト管用管継手とが前記コルゲイト管外周と止輪内面との間に形成された隙間内を径方向へ相対移動可能とされたことを特徴とするものである。
【００１２】
即ち、止輪内で管継手とコルゲイト管とが径方向へ相対的に移動できるようにすることで、両者を止着することによる弊害をなくしているのである。
コルゲイト管と筒状本体との間はリング状シール材でシールされ、しかもシール材は弾性を有するので、このシール部分の弾性によって、コルゲイト管がシール部分を中心として、あるいはコルゲイト管用管継手の軸と平行に動くことができ、この動きにより応力発生が抑えられ、しかもリテーナにより抜け出しが防止されているので、リング状シール材のシール状態も維持されるので内部流体も漏洩しない。
【００１３】
【実施の形態】
次に、この発明の実施形態であるコルゲイト管用管継手について説明する。
図１は、フレキシブルチューブの接続構造の断面図である。
【００１４】
図１において、コルゲイト管用管継手１は、従来と同様、雄ねじ又は雌ねじとされたねじ部３ａ（図示例は雄ねじ部）で器具に接続される筒状本体３であって、他端にコルゲイト管２を受容する筒状本体３と、この筒状本体３の内面とコルゲイト管２の先端部４外面との隙間をシールするリング状シール材５と、コルゲイト管２外周の山部６、６間の谷部７に係りあう爪８を有したリング状のリテーナ９と、リング状リテーナ９を筒状本体３より抜け出ないように拘束する、筒状本体３の開口部１０に同軸に固定される止輪１１を備えて構成されている。そして、止輪１１は、管継手１の筒状本体３の開口部にねじ止めされるねじ部１２を外面に有し、内面がテーパ面１３とされ、抜け出ようとするリテーナ９と接すると縮径方向に力を加え、コルゲイト管２の谷部７との係り合い力を強めるようにされている。
【００１５】
なお、上記図示されていない器具の例としては、バルブ、給水・給湯器、エンジン、分配器などがある。
この止輪１１の内面１４の内径ｒが、コルゲイト管２の最大外径ｄより大きくされ、コルゲート管３と止輪１１内面１４との間に隙間ｓが出来るようにされている。
【００１６】
従って、このコルゲイト管用管継手１によりコルゲイト管２を接続した場合、コルゲイト管２は、リテーナ９により抜け出しが防止されるが、接続された器具（図示せず）からコルゲイト管用管継手１に振動（矢印Ａ）が作用した場合、止輪内面１４がコルゲイト管２に直ちに接せず、リング状シール材５によって弾性的に振動が受け止められた後、隙間ｓだけ動いた後に山部６が止輪内面１４に接することになる。
【００１７】
即ち、図２に示すようにコルゲイト管用管継手１が首を振るような動き（矢印Ａ１）をした場合は、コルゲイト管２は、コルゲイト管用管継手１の止輪１１との間に設けた隙間ｓの範囲だけ正反方向へ相対移動でき、リング状シール材５の弾性により相対移動が範囲ｓの範囲内で収まる場合は、コルゲイト管２に応力が殆ど発生せず、また、範囲ｓ以内では収まらない場合でも、止輪内面１４に接触するまではシール材５による緩衝作用が働いているので止輪内面１４に接触した時は応力もかなり緩和軽減される。
【００１８】
また、図３に示すようにコルゲイト管用管継手１が平行に移動する動き（矢印Ａ２）をした場合も、コルゲイト管２の相対的な動きが、隙間ｓの範囲内で収まる場合は、コルゲイト管２に応力が殆ど発生せず、また、範囲ｓ移動し止輪内面１４に接触しても、それまではシール材５による緩衝作用が働いているので応力もかなり緩和軽減される。
【００１９】
また、コルゲイト管用管継手１がコルゲイト管２に対し軸方向に相対移動（矢印Ｂ）した場合は、リテーナ９による抜け出し防止効果が発揮されるまでの間、両者は相対的に軸方向へ動くことができるので軸方向への応力緩和も図られる。
【００２０】
従って、コルゲイト管用管継手１に器具から径方向および軸方向への振動を伝える要因があっても、両者の相対移動の許容性によってコルゲイト管に不必要な応力を発生させる事がない。
【００２１】
【発明の効果】
以上説明したように、この発明のコルゲイト管用管継手によれば、接続した器具よりコルゲイト管用管継手に振動などの動きが伝わっても、その振動はシール材の弾性により緩和され、その結果振動による応力がコルゲイト管に発生しないので、これに起因する疲労破壊などは防止され、コルゲイト管を用いた配管の信頼性が著しく高められるといった効果を有する。
【００２２】
また、この発明を実施する場合、内径の大きい止輪を用いる以外は、従来のコルゲイト管用管継手をそのまま用いることができるので実施が容易に出来るなどの効果を有する。
【図面の簡単な説明】
【図１】コルゲイト管用管継手の半裁側面図である。
【図２】コルゲイト管用管継手がコルゲイト管に対して相対移動した状態を示す断面図である。
【図３】コルゲイト管用管継手がコルゲイト管に対して相対移動した状態を示す他の断面図である。
【図４】従来のコルゲイト管用管継手の要部断面図である。
【図５】図４の要部拡大断面図である。
【図６】従来のコルゲイト管の他の管継手の要部破断側面図である。
【符号の説明】
１    コルゲイト管用管継手
２    コルゲイト管
３    筒状本体
６    山部
７    谷部
９    リテーナ
１１    止輪
１２    ねじ部
１３    テーパ面
１４    止輪内面
ｓ    隙間
【図１】
2005016598.tif 000003
【図２】
2005016598.tif 000004
【図３】
2005016598.tif 000005
【図４】
2005016598.tif 000006
【図５】
2005016598.tif 000007
【図６】
2005016598.tif 000008